(57)【要約】【課題】    木造住宅床下換気施工装置として活性炭を原料とした土台クッション式で有るために換気は勿論耐震・防虫・防湿・防腐処置として提供。【解決手段】檜類等の硬質木材と尚より硬質なコンクリートの間に若干弾力性の有る活性炭版を挟む工法により換気と共に耐震等にも或る程度の効果が期待出来る。尚アンカーボールトにて締め付けるけれども横ずれしない様に上面下面に有る程度若干の凹を彫り込む。【選択図】図１
0003130060.tif 000002
【実用新案登録請求の範囲】
【請求項１】
木造住宅建築のコンクリート布基礎と土台との間に活性炭を原料としたクッションパッキン材を挟敷いて地震の発生時に若干の柔軟性を持たせ床下の通風・防虫・防湿・防腐を目的とした活性炭の版状を提供。
【請求項２】
請求工１の活性炭版状に通風孔を設け自然床下換気を促す装置。
【考案の詳細な説明】
【技術分野】
【０００１】  本考案は木造住宅等床下の必要性の有る建物の床下に換気・防虫・防湿・防腐を目的とした活性炭を原料とした版状を製造し尚且つ地震が発生した場合に若干の耐震効果を目的に利用。
【背景技術】
【０００２】木造住宅の建築には従来床下の自然換気装置として外部周りの布基礎に角型格子等が利用されているが布基礎に一部彫り込むために布基礎を補強筋等で補強する必要が有る。【０００３】現時点に於いては本考案の施工技術の類似品は無く０００２に記載した角型格子か丸型格子が現在使用されている。
【特許文献１】  特開平１０−８８６８２
【特許文献２】  特開平１０−１４０６８１
【考案の開示】
【考案が解決しようとする課題】
【０００４】従来の床下自然換気方法としては何れの施工方法も布基礎を或る程度彫り込むために思わぬ外力が加わる場合は若干心配も懸念されるが本考案は布基礎に影響なく自然換気が行われ耐震・防虫・防湿・防腐も行われる。
【課題を解決するための手段】
【０００５】利用材料は活性炭を使用するため廃タイヤを原料として乾留賦活精製したヨウ素吸着性能が８００（ｍｇ／ｇ）以上の活性炭とヨウ素吸着性能が３００（ｍｇ／ｇ）以上の孟宗竹炭との各々５０％の合成材料としヨウ素吸着性能を５５０（ｍｇ／ｇ）以上とした活性炭版を幅１２ｍｍ厚み３０ｍｍ程の圧力成型材とし尚且つ圧力成型材の中に径２０ｍｍ程の通気孔を３０ｃｍ程の間隔にて防虫網付を設ける。尚厚みは３０ｍｍから４０ｍｍ迄とし通気孔の径は厚みの７／１０程度とする。尚平面の上端及び下端には横ずれ防止用に１０ｃｍか１５ｃｍ程の間隔にて深さ２ｍｍ程の彫り込みを施す。【０００６】利用材料に上記０００５に明記した廃タイヤ原料乾留賦活精製した製品を使用しなくて孟宗竹活性炭と備長活性炭の合成活性炭を使用する場合は厚みを４ｃｍ以上５ｃｍ迄の圧製成型材を使用する。【０００７】０００５並びに０００６の製品を製造する場合は固定接着材を用いた圧製成型版材とする。
【考案の効果】
【０００８】従来の床下自然換気施工方法は換気のみの考慮に過ぎず本考案は耐震性・防虫性・防湿性・防腐性等が期待出来る。尚且つ廃タイヤ処理と孟宗竹林放置処理に貢献出来る。
【考案を実施するための最良の形態】
【０００９】本考案による活性炭版通気パッキン式の実施例について図面を参照して説明する。
【実施例】
【００１０】図１は本考案の土台下の布基礎との間に挟敷込む圧製成型した活性炭版を幅１２０ｍｍ厚さ３０ｍｍ長さ９００ｍｍを例とした平面図及び斜視図である。材どうしの継ぎ手は蟻柄とする。横擦れ防止の為に或る程度の間隔を置いて深さ２ｍｍの上端と下端の両面に彫りこみを施す。【００１１】図２は同活性炭版を外部専用土台下に通気孔を設けた屋内側面図と斜視図である。【００１２】図３は同活性炭版を外部専用土台下に通気孔を設けた屋外側面図と斜視図である。【００１３】図４は同活性炭版を外部土台下の取り付け（敷込）状況の通気孔部分の断面図である。【００１４】図５は同活性炭版を外部土台下の屋内側に取り付けた防虫金網の詳細図である
【図面の簡単な説明】
【００１５】
【図１】  本考案製品活性炭版状の平面と斜視図の例。
【図２】  同製品を外部土台下に設置した内部側面と斜視図。
【図３】  同製品を外部土台下に設置した外部側面と斜視図。
【図４】  同製品を外部土台下に設置した通気孔部分の断面状況図。
【図５】  同製品を外部土台下に設置した内部側面の防虫金網の詳細図。
【符号の説明】
【００１６】１：平面図
２：両側面図
３：継ぎ手蟻柄凹部分
４：継ぎ手蟻柄凸部分
５：平面上端及び下端に横ずれ防止
６：外部土台下の屋内側面図
７：同上防虫金網
８：同上外部側面図
９：同上通気孔
１０：同上通気孔断面図
１１：土台の例
１２：布基礎の例
１３：アンカーボールトの例
１４：外装水切りの例
１５：外装用胴縁の例
１６：外装版の例
１７：コーキングの例
７−１：防虫金網押さえ額縁
７−２：防虫金網
７−３：防虫金網押さえ額縁止めネジ釘
１０−２：通気孔の中央部断面上下の縁
【図１】
0003130060.tif 000003
【図２】
0003130060.tif 000004
【図３】
0003130060.tif 000005
【図４】
0003130060.tif 000006
【図５】
0003130060.tif 000007
【手続補正書】
【提出日】平成18年11月10日(2006.11.10)
【手続補正１】
【補正対象書類名】実用新案登録請求の範囲
【補正対象項目名】全文
【補正方法】変更
【補正の内容】
【実用新案登録請求の範囲】
【請求項１】
木造建築のコンクリート布基礎と土台との間に活性炭を原料としたクッションパッキン版を挟み敷いて地震の発生時に柔軟性を持たせ尚且つ床下の防湿・防腐・防虫を目的とした活性炭の版状。
【請求項２】
外部面布基礎の上には請求項１に記載の活性炭版状に通風孔を設けて床下の自然換気を促す目的の活性炭版。
【手続補正３】
【補正対象書類名】明細書
【補正対象項目名】全文
【補正方法】変更
【補正の内容】
【考案の詳細な説明】
【技術分野】
【０００１】
本考案は木造住宅等床下の有る建物の床下に・防虫・防湿・防腐を目的とした活性炭を原料とした版状を布基礎の上端と土台下端の間に挟み敷き尚且つ地震が発生した場合の耐震効果の目的にも利用し外部面布基礎の上端には其の活性炭版に通風孔を設けて床下換気孔とする目的にも利用する活性炭版。
【背景技術】
【０００２】
木造住宅の建築には従来床下の自然換気装置として外部周りの布基礎に角型格子等が利用されているが布基礎に一部彫り込むために布基礎を補強筋等で補強する必要が有るし其れでも地震等の災害時には構造の弱点が予想される。
【０００３】
現時点に於いては本考案の施工技術の類似品は無く０００２に記載した角型格子か丸型格子が現在主に使用されている。
【特許文献１】特開平１０―８８６８２
【特許文献２】特開平１０―１４０６８１
【考案の開示】
【考案が解決しようとする課題】
【０００４】
従来の床下自然換気方法としては何れの施工方法も布基礎を或る程度彫り込むために思わぬ外力が加わる場合は心配も懸念されるが本考案は布基礎に影響なく自然換気が行われ耐震・防虫・防湿・防腐も行われる目的の活性炭版。
【課題を解決するための手段】
【０００５】
利用材料は活性炭を使用するため廃タイヤを原料として乾留賦活精製したヨウ素吸着性能が800(mg/ｇ)以上の活性炭とヨウ素吸着性能が300(mg/ｇ)以上の孟宗竹炭との各々50％の合成材料としヨウ素吸着性能を550(mg/ｇ)以上とした活性炭版を幅12mm厚み30mm程の圧力成型材とし尚且つ圧力成型材の中に径20mm程の通気孔を30cm程の間隔にて防虫網付を設ける。尚厚みは30mmから40mm迄とし通気孔の径は厚みの7／10程度とする。尚平面の上端及び下端には横
ずれ防止用に10cmか15cm程の間隔にて深さ2mm程の彫り込みを施す。
【０００６】
利用材料に上記０００５に明記した廃タイヤ原料乾留賦活精製した製品を使用しなくて孟宗竹活性炭と備長活性炭の合成活性炭を使用する場合は厚みを4cm以上5cm迄の圧製成型材を使用する。
【０００７】
０００５並びに０００６の製品を製造する場合は固定接着材を用いた圧製成型版材を用いる。
【考案の効果】
【０００８】
従来の床下自然換気施工は換気のみの考慮に過ぎず本考案は耐震性・防虫性・防湿性・防腐性等が期待出来る。尚且つ廃タイヤ処理と孟宗竹林放置処理に貢献出来る。
【考案を実施するための最良の形態】
【０００９】
本考案による活性炭版通気パッキン式の実施例について図面を参照して説明する。
【実施例】
【００１０】
図1は本考案の土台下の布基礎との間に挟み敷込む圧製成型した活性炭版を幅140mm厚さ30mm長さ900mmを例とした平面図及び斜視図である。材どうしの継ぎ手は蟻ホソとする。横擦れ防止の為に或る程度の間隔を置いて深さ2mmの溝を上端と下端の両面に彫り込みを施す図。符号１は活性炭版の上端又は下端、符号２は側面、符号３は蟻型継手の凹部分、符号４は蟻型継手の凸部分、符号５は滑り止め目的の浅い彫り込み部分。
【００１１】
図2は同活性炭版を外部専用土台下に通気孔を設けた屋内側面図と斜視図。符号６は外部面の布基礎の上端に敷く活性炭版の内部の側面、符号７は符号６に設ける通気孔の内面に防虫目的に設ける防虫網。
【００１２】
図３は同活性炭版を外部専用土台下に通気孔を設けた屋外側面図と斜視図。符号８は外部面布基礎上に敷き込む活性炭版の外部の側面図、符号９は同じ外部面に挟み敷く活性炭版の通気孔。
【００１３】
図4は同活性炭版を外部土台下に取り付け敷込む状況の通気孔部分の断面図。符号10は外部布基礎の上に敷き込んだ場合の通気孔の断面図、符号10bは通気孔の中央部分の上部と下部の断面状況図、符号11は土台の例、符号12は布基礎の例、符号13はアンカーボルトの例、符号14は外装版の水切りの例、符号15は外装版受け胴縁の例、符号16は外装版の例、符号17はコーキングの例。
【００１４】
図５は同活性炭版を外部土台下の屋内側に取り付けた防虫金網の詳細図。符号6は外面布基礎の上に敷き込む活性炭版の内部側面、符号7ｂは前記活性炭版の通気孔の内部に取付ける防虫網を押さえるための額縁金、符号7は防虫網、符号7ｃは縁金を取付けるネジ釘。
【図面の簡単な説明】
【００１５】
【図１】本考案製品活性炭版状の平面と斜視図の例。
【図２】同製品を外部土台下に設置した内部側面と斜視図。
【図３】同製品を外部土台下に設置した外部側面と斜視図。
【図４】同製品を外部土台下に設置した通気孔部分の断面状況図。
【図５】同製品を外部土台下に設置した内部側面の防虫金網の詳細図。
【符号の説明】
【００１６】
１：平面図
２：両側面図
３：継ぎ手蟻ホソ凹部分
４：継ぎ手蟻ホソ凸部分
５：平面上端及び下端に横ずれ防止の浅い溝
６：外部土台下の屋内側面図
７：上記符号６に取付ける防虫金網
７b：上記防虫網を取付ける押さえ額縁金
７c：上記額縁金を取付けるネジ釘
８：同上外部側面図
９：同上通気孔
10：同上通気孔断面図
10b：上記断面の中央部の上部と下部の孔の縁部分
11：土台の例
12：布基礎の例
13：アンカーボールトの例
14：外装水切りの例
15：外装用胴縁の例
16：外装版の例
17：コーキングの例
【手続補正４】
【補正対象書類名】図面
【補正対象項目名】全図
【補正方法】変更
【補正の内容】
【図１】
0003130060.tif 000008
【図２】
0003130060.tif 000009
【図３】
0003130060.tif 000010
【図４】
0003130060.tif 000011
【図５】
0003130060.tif 000012
【手続補正書】
【提出日】平成18年12月26日(2006.12.26)
【手続補正１】
【補正対象書類名】実用新案登録請求の範囲
【補正対象項目名】全文
【補正方法】変更
【補正の内容】
【実用新案登録請求の範囲】
【請求項１】
床下を設ける場合の木造建築の内部面のコンクリート布基礎と其の上に敷く土台との間に挟み敷く、活性炭を原料として平角板型に成形製造した、床下の防湿と防腐と防虫の目的を特徴とする基礎パッキン。
【請求項２】
床下を設ける場合の木造建築の外部面のコンクリート布基礎と其の上に敷く土台との間に挟み敷く、活性炭を原料として平角板型に成型製造した、床下の防湿と防腐と防虫と自然換気の目的を特徴とする基礎パッキン。
【手続補正２】
【補正対象書類名】明細書
【補正対象項目名】全文
【補正方法】変更
【補正の内容】
【考案の詳細な説明】
【技術分野】
【０００１】
本考案は木造建築のコンクリート布基礎と土台との間に活性炭を原料とした基礎パッキン式の平角板を挟み敷いて地震や台風の災害発生時に超硬質なコンクリートと硬質な土台と間に間接的に柔軟性を持たせ、其れに加え活性炭の作用効果による床下の防湿と防腐と防虫を目的とし、
外部面土台下に取付ける場合は其のパッキンに通風孔を設けて床下の自然換気目的に使用する、
内部面の布基礎と土台との間に挟み敷く場合には外部面と異なり布基礎に直接に通風穴を設ける事が可能なために基礎パッキンには通気孔を設ける必要が無いために防湿と防虫と防腐と耐震衝撃緩和の利用目的のために通気孔を設けない基礎パッキンを挟み敷く。
【背景技術】
【０００２】
木造住宅の建築には従来床下の自然換気装置として外部周りの布基礎に角型や丸型の格子等が主に利用されているが外部の布基礎に一部彫り込むために布基礎を補強する必要が有るし、補強しても地震等の災害発生時には基礎の構造の弱点が予想されるし、床下の防虫や防湿及び防腐を目的としたのに加え震度の高い災害時に衝撃緩和等を目的とした基礎パッキン等の考案は見受けられない。
【特許文献１】特開平１０−８８６８２
【特許文献２】特開平１０−１４０６８１
【考案の開示】
【考案が解決しようとする課題】
【０００３】
従来自然換気として主に使用されている布基礎を彫り込んで傷める事も無く床下の自然換気が行なわれ、活性炭の作用効果により床下の防湿や防腐や防虫も行なわれ、土台と基礎との間に挟み敷くために地震等災害時の揺れにも衝撃に対して軟震性を持たせる基礎パッキンの提供。
【課題を解決するための手段】
【０００４】
土台と布基礎の間に挟み敷く活性炭原料の平角型の基礎パッキンは巾を15cm程度厚みを4cmより5cm程度で長さは90cm程度とし、蟻ホソ型にてジョイントし外部周りの布基礎に取付ける基礎パッキンの場合は在る程度の間隔を置いて丸孔で内側面に防虫網を取り付けた防虫自然換気通気孔を取付けた基礎パッキンとし、原料に活性炭を利用するために其の材質作用効果を用いて床下の防虫と防腐と防湿の目的に利用し、上端と下端の両平面部分にはアンカーボルトのみにて締付けるため横にずれない様に滑り止めの浅い彫り込み溝を設ける。
【０００５】
内部の布基礎の上に挟み敷く基礎パッキンの場合は布基礎に直接通風穴を設置する事が出来るために外部周りの様に自然通気孔は設ける必要は無く活性炭の作用効果にて防湿と防虫と防腐と地震時等の震度緩和を目的とする。
【考案の効果】
【０００６】
本考案の基礎パッキンはコンクリート布基礎と檜等の硬質な土台との間に挟み敷くために、材質が活性炭を原料として圧力を加えて製造した平角形の成型材を用いるため軟性が在り地震等の際の災害時の衝撃に柔軟性を持たせる事が出来て、継手部分を蟻ホソ型にしているために外部からの湿気や白蟻等の侵入を防止して床下の自然換気や活性炭の作用効果により床下の防虫や防腐や防湿の目的も果たす事が出来る内部面と外部面の布基礎の上に敷く基礎パッキン。
【考案を実施するための最良の形態】
【０００７】
本考案による基礎パッキンの実施例に付いて図面を参照しながら説明をする。
【実施例】
【０００８】
図１は本考案の活性炭製の基礎パッキンを土台下と布基礎との間に挟み敷く圧力成型した平角型のパッキンを巾15cm程度厚さ4cmより5cm程度長さ90cm程度のパッキン材の図の例を平面的に見た斜視図で符号1は平面、符号2は側面、符号3は材の継手の蟻ホソ凹部分、符号4は同凸部分、符号5は滑り止めの浅い凹溝部分。
【０００９】
図２は外部面の布基礎の上に敷く基礎パッキンを内部から見た斜視図で符号６は内部側面、符号７は自然換気通気孔に取付けるステンレス製の防虫網。
【００１０】
図３は外部面の布基礎の上に敷く基礎パッキンを外部から見た斜視図で符号８は外部側面、符号９は自然換気通気孔。
【００１１】
図４は基礎パッキンを外部面の布基礎の上に挟み敷く場合の通気孔部分の断面図で符号9はパッキン材に設けた通気孔、符号10ａは通気孔の断面図、符号10ｂは通気孔の中央部分の上部下部の断面状況図、符号11は土台の例、符号12は布基礎の例、符号13はアンカーボルトの例、符号14は外装版の水切り板の例、符号15は外装版受け胴縁の例、符号16は外装版の例、符号17はコーキングの例。
【００１２】
図５は基礎パッキンを外部面の布基礎の上に挟み敷く場合の内面に防虫網を取り付ける際の状況図で符号６は内部側面、符号７aはステンレス製の防虫網、符号７ｂは防虫網を抑える四角型の座金、符号７ｃは防虫網を取付けるクロス頭ネジ釘、符号９は丸型の通気孔。
【図面の簡単な説明】
【００１３】
【図１】基礎パッキンの平面的斜視図。
【図２】基礎パッキンを外部壁面の布基礎の上に挟み敷く内部側面の斜視図。
【図３】上部2を外部側面から見た斜視図。
【図４】基礎パッキンを外部面の布基礎の上に取付ける際の通気孔の状況断面図。
【図５】同パッキンを取付ける際の通気孔の防虫網の説明図。
【符号の説明】
【００１４】
１：基礎パッキンの平面図
２：同パッキンの側面図
３：同パッキンの蟻型継手の凹部分
４：同パッキンの蟻型継手の凸部分
５：同パッキンの上下平面部の滑り止めの浅い溝
６：同パッキンを外部面布基礎上端に取付ける際の内側面
７a：上記の通気孔の防虫網
７b：上記防虫網を取り付ける際の角型の抑え額縁型座金
７c：上記額縁型座金を取り付けるクロス頭ネジ釘
８：上記６に記載の外側面
９：外部面布基礎の上に取付ける際の基礎パッキンの通気孔
10：上記9に記載の通気孔の断面図
10ｂ：上記10に記載の通気孔の中央部分の上部下部の縁
11：土台断面の例
12：布基礎断面の例
13：アンカーボルトの例
14：建物外部の外装版の水切り板の例
15：上記の外装版受け胴縁の例
16：上記の外装版の例
17：上記の外装版の下部コーキングの例
【手続補正３】
【補正対象書類名】図面
【補正対象項目名】全図
【補正方法】変更
【補正の内容】
【図１】
0003130060.tif 000013
【図２】
0003130060.tif 000014
【図３】
0003130060.tif 000015
【図４】
0003130060.tif 000016
【図５】
0003130060.tif 000017